(57)【要約】      （修正有）【課題】遮蔽性を向上できるブラインドを提供する。【解決手段】ブラインドは、第１透光性シートと、第２透光性シートと、支持部材と、複数のルーバと、開閉機構と、ボトムレールとを有する。支持部材は、第１透光性シートと第２透光性シートとが対向するようにかつ第１間隔を空けて第１方向で支持する。複数のルーバは、第１透光性シートと第２透光性シートとの間に設けられる。開閉機構は、第１透光性シート及び第２透光性シートを第１方向で相対移動させて第２透光性シートとの間隔を変化させることで複数のルーバ間を開閉可能である。ボトムレールは、第１透光性シートの他端と第２透光性シートの他端とを第２間隔を空けて接続する。またボトムレールは、第２間隔を二分する中心線よりも第１透光性シート側において第１方向または対向方向に突出する突出部を有し、ルーバ間が開放された状態において中心線よりも第１透光性シート側に重心を有する。【選択図】図４
2015200066.tif 000002
【特許請求の範囲】
【請求項１】
第１透光性シートと、
第２透光性シートと、
前記第１透光性シートの一端と前記第２透光性シートの一端とを、当該第１透光性シートと当該第２透光性シートとが対向するようにかつ第１間隔を空けて第１方向で支持する支持部材と、
前記第１透光性シートと前記第２透光性シートとの間に設けられた複数のルーバと、
前記第１透光性シート及び前記第２透光性シートを前記第１方向で相対移動させて当該第１透光性シートと前記第２透光性シートとの間隔を変化させることで前記複数のルーバ間を開閉可能な開閉機構と、
前記第１透光性シートの他端と前記第２透光性シートの他端とを第２間隔を空けて接続するボトムレールであって、前記第２間隔を二分する中心線よりも前記第１透光性シート側において前記第１方向または前記対向方向に突出する突出部を有し、前記ルーバ間が開放された状態において前記中心線よりも前記第１透光性シート側に重心を有するボトムレールと
を具備するブラインド。
【請求項２】
請求項１に記載のブラインドであって、
前記支持部材は、
前記第１透光性シート及び前記第２透光性シートを前記ルーバ間が閉塞された状態で巻き取り可能な巻取パイプと、
当該巻取パイプによる前記第１透光性シート及び前記第２透光性シートの巻き取りに伴い前記ボトムレールが前記支持部材側へ移動した場合に、前記突出部に当接して前記第１透光性シート及び前記第２透光性シートのさらなる巻き取りを規制する規制部とを有する
ブラインド。
【請求項３】
請求項２に記載のブラインドであって、
前記開閉機構は、前記第１透光性シートを前記支持部材から離れる方向へ移動させ、前記第２透光性シートを前記支持部材へ近づく方向へ移動させることで前記ルーバ間を閉塞させ、
前記支持部材は、前記規制部が前記突出部に当接した状態で前記ボトムレールの前記第２の透光性シート側の少なくとも一部を収容する収容部を有する
ブラインド。
【請求項４】
請求項１に記載のブラインドであって、
前記ボトムレールは、前記ルーバ間が開放された状態において当該ルーバと対向する第１面と、当該第１面に対向する第２面と、前記第１面に設けられ前記第１透光性シートの他端と接続される第１接続部と、前記第２面に設けられ前記第２透光性シートの他端と接続される第２接続部とを有する
ブラインド。
【請求項５】
請求項１に記載のブラインドであって、
前記突出部は、前記ボトムレールの長手方向に沿って移動可能な錘を内蔵する
ブラインド。
【請求項６】
第１透光性シートと、
第２透光性シートと、
前記第１透光性シートの一端と前記第２透光性シートの一端とを、当該第１透光性シートと当該第２透光性シートとが対向するようにかつ第１間隔を空けて第１方向で支持する支持部材と、
前記第１透光性シートと前記第２透光性シートとの間に設けられた複数のルーバと、
前記第１透光性シート及び前記第２透光性シートを前記第１方向で相対移動させて当該第１透光性シートと前記第２透光性シートとの間隔を変化させることで前記複数のルーバ間を開閉可能な開閉機構と、
前記第１透光性シートの他端と前記第２透光性シートの他端とを第２間隔を空けて接続するボトムレールであって、前記第２間隔を二分する中心線よりも前記第１透光性シート側において前記第１方向に突出する突出部を有するボトムレールとを具備し、
前記支持部材は、
前記第１透光性シート及び前記第２透光性シートを前記ルーバ間が閉塞された状態で巻き取り可能な巻取パイプと、
当該巻取パイプによる前記第１透光性シート及び前記透光性シートの巻き取りに伴い前記ボトムレールが前記支持部材側へ移動した場合に、前記突出部に当接して前記第１透光性シート及び前記第２透光性シートのさらなる巻取りを規制する規制部とを有する
ブラインド。
【発明の詳細な説明】
【技術分野】
【０００１】
本発明は、ブラインドに関する。
【背景技術】
【０００２】
従来から、調光機能を有するロールタイプのブラインドが存在する。下記特許文献１には、支持フレームに対し回転可能に支持された巻上筒から二枚の生地を同巻上筒に沿って吊下支持し、両生地の間には上下に多数段のスラットを支持し、両生地の下端にボトムレールを吊下支持し、上記支持フレームに設けられた操作手段で巻上筒を回転駆動することにより生地を介して各スラットを角度調節可能とするとともに、生地とスラットとを巻上筒に巻き取り可能とした巻上型ブラインドが開示されている。
【先行技術文献】
【特許文献】
【０００３】
【特許文献１】特開平６−２２１０６６号公報
【発明の概要】
【発明が解決しようとする課題】
【０００４】
ところで、このブラインドにおいては、ボトムレールは下面が下方へ膨らむように湾曲形成された本体と、その本体に嵌着される嵌着部材とから筒状に構成され、嵌着部材が本体に嵌着されることにより、本体と嵌着部材との間に上記生地が挟着されるようになっている。したがって、上記ボトムレールの重心は、その形状から、スラットが開いた状態において両生地の中央付近に位置することになる。
【０００５】
そうすると、巻上筒が巻上げ方向に回転し生地が巻上筒により引き上げられてスラットが（閉じる方向へ）傾動し、それに伴いボトムレールも傾動した場合には、スラットには、ボトムレールの傾動方向とは逆方向の力、すなわち二枚の生地が離間する方向の力が作用することになるため、二枚の生地が接する程度までスラットが完全に閉じられず、遮蔽性が低下してしまうという問題があった。
【０００６】
以上のような事情に鑑み、本発明の目的は、遮蔽性を向上させることが可能なブラインドを提供することにある。
【課題を解決するための手段】
【０００７】
上記目的を達成するため、本発明の一形態に係るブラインドは、第１透光性シートと、第２透光性シートと、支持部材と、複数のルーバと、開閉機構と、ボトムレールとを有する。上記支持部材は、上記第１透光性シートの一端と上記第２透光性シートの一端とを、当該第１透光性シートと当該第２透光性シートとが対向するようにかつ第１間隔を空けて第１方向で支持する。上記複数のルーバは、上記第１透光性シートと上記第２透光性シートとの間に設けられる。上記開閉機構は、上記第１透光性シート及び上記第２透光性シートを上記第１方向で相対移動させて当該第１透光性シートと上記第２透光性シートとの間隔を変化させることで上記複数のルーバ間を開閉可能である。上記ボトムレールは、上記第１透光性シートの他端と上記第２透光性シートの他端とを第２間隔を空けて接続する。またボトムレールは、上記第２間隔を二分する中心線よりも上記第１透光性シート側において上記第１方向または上記対向方向に突出する突出部を有し、上記ルーバ間が開放された状態において上記中心線よりも上記第１透光性シート側に重心を有する。
【０００８】
これによりブラインドは、ボトムレールに設けられた突出部により、ボトムレールの重心を第１透光性シート側ヘ偏らせ、かつ、突出部を第１方向または対向方向にも突出させることで、ルーバ間が閉塞された状態において、ボトムレールの重心がより低い位置となり、第１透光性シートに対して下方へ引っ張る力が作用するとともに、ボトムレールが起立する（垂直な）姿勢を保とうとするため、ルーバの遮蔽性を向上させることができる。
【０００９】
上記支持部材は、巻取パイプと規制部とを有してもよい。上記巻取パイプは、上記第１透光性シート及び上記第２透光性シートを上記ルーバ間が閉塞された状態で巻き取り可能である。上記規制部は、当該巻取パイプによる上記第１透光性シート及び上記透光性シートの巻き取りに伴い上記ボトムレールが上記支持部材側へ移動した場合に、上記突出部に当接して上記第１透光性シート及び上記第２透光性シートのさらなる巻き取りを規制する。
【００１０】
これによりブラインドは、突出部を規制部に当接させて係止させることで、ボトムレールが巻取パイプに巻き込まれるのを防止でき、さらに第１透光性シート及び第２透光性シートが本来とは逆方向へ巻き上げられてしまう、いわゆる逆巻きを防止することができる。
【００１１】
上記開閉機構は、上記第１透光性シートを上記支持部材から離れる方向へ移動させ、上記第２透光性シートを上記支持部材へ近づく方向へ移動させることで上記ルーバ間を閉塞させてもよい。この場合上記支持部材は、上記規制部が上記突出部に当接した状態で上記ボトムレールの上記第２の透光性シート側の少なくとも一部を収容する収容部を有してもよい。
【００１２】
これによりブラインドは、突出部が規制部に当接した状態でボトムレールの第２透光性シート側を支持部材内に収容することができるため、第１透光性シート及び第２透光性シートが限界まで巻き取られた場合にボトムレールの露出量を最小限に抑えることができ、巻き取り時の見栄えを向上させることができる。
【００１３】
上記ボトムレールは、上記ルーバ間が開放された状態において当該ルーバと対向する第１面と、当該第１面に対向する第２面と、上記第１面に設けられ上記第１透光性シートの他端と接続される第１接続部と、上記第２面に設けられ上記第２透光性シートの他端と接続される第２接続部とを有してもよい。
【００１４】
これによりブラインドは、ボトムレールにおいて、第１透光性シートが第１面（上面）、第２透光性シートが第２面（下面）にそれぞれ接続されることで、開閉機構によりルーバ間が閉塞された場合に、第２透光性シートがボトムレールの第２面を引き上げてボトムレールを起立させる方向の力が作用するため、ルーバの遮蔽性をより向上させることができる。
【００１５】
上記突出部は、上記ボトムレールの長手方向に沿って移動可能な錘を内蔵してもよい。
【００１６】
これによりブラインドは、突出部に内蔵された錘により、ボトムレールの重心を第１透光性シート側寄りにすることで、ルーバ閉塞時において第１透光性シートを下方へ引っ張りかつボトムレールを起立させることでルーバ間の遮蔽性を向上できるとともに、錘をボトムレールの長手方向に沿って移動可能とすることで、ブラインド正面視における第１透光性シート及び第２透光性シートの左右のバランスを調整して、巻き取り時の巻き乱れを防止することができる。
【００１７】
本発明の他の形態に係るブラインドは、第１透光性シートと、第２透光性シートと、支持部材と、複数のルーバと、開閉機構と、ボトムレールとを有する。上記支持部材は、上記第１透光性シートの一端と上記第２透光性シートの一端とを、当該第１透光性シートと当該第２透光性シートとが対向するようにかつ第１間隔を空けて第１方向で支持する。上記複数のルーバは、上記第１透光性シートと上記第２透光性シートとの間に設けられる。上記開閉機構は、上記第１透光性シート及び上記第２透光性シートを上記第１方向で相対移動させて当該第１透光性シートと上記第２透光性シートとの間隔を変化させることで上記複数のルーバ間を開閉可能である。上記ボトムレールは、上記第１透光性シートの他端と上記第２透光性シートの他端とを第２間隔を空けて接続する。またボトムレールは、上記第２間隔を二分する中心線よりも上記第１透光性シート側において上記第１方向に突出する突出部を有する。上記支持部材はさらに、巻取パイプと規制部とを有する。上記巻取パイプは、上記第１透光性シート及び上記第２透光性シートを上記ルーバ間が閉塞された状態で巻き取り可能である。上記規制部は、当該巻取パイプによる上記第１透光性シート及び上記透光性シートの巻き取りに伴い上記ボトムレールが上記支持部材側へ移動した場合に、上記突出部に当接して上記第１透光性シート及び上記第２透光性シートのさらなる巻取りを規制する。
【００１８】
これによりブラインドは、ボトムレールに設けられた突出部により、ボトムレールの重心を第１透光性シート側ヘ偏らせることで、ルーバ間が閉塞された状態において、ボトムレールの重心がより低い位置となり、第１透光性シートに対して下方へ引っ張る力が作用するとともに、ボトムレールが起立する（垂直な）姿勢を保とうとするため、ルーバの遮蔽性を向上させることができる。さらにブラインドは、突出部を規制部に当接させて係止させることで、ボトムレールが巻取パイプに巻き込まれるのを防止でき、さらに第１透光性シート及び第２透光性シートが本来とは逆方向へ巻き上げられてしまう、いわゆる逆巻きを防止することができる。
【発明の効果】
【００１９】
以上のように、本発明によれば、遮蔽性を向上させることができる。しかし、この効果は本発明を限定するものではない。
【図面の簡単な説明】
【００２０】
【図１】本発明の第１実施形態に係るブラインドの正面図である。
【図２】上記ブラインドのルーバ間が開放された状態を示す側面図である。
【図３】図２に示したブラインドの断面図である。
【図４】図３に示したボトムレールの拡大断面図である。
【図５】図３に示したブラインドのシートを下限まで巻き下げてルーバ間を閉塞した状態を示した断面図である。
【図６】図３に示したブラインドのシートを上限まで巻き取った状態を示した断面図である。
【図７】本発明の第２実施形態に係るブラインドの下部の側面方向の断面図である。
【図８】図７に示したブラインドのルーバが閉塞した状態を示した断面図である。
【図９】ボトムレールの突出部の変形例を示した図である。
【発明を実施するための形態】
【００２１】
以下、図面を参照しながら、本発明の実施形態を説明する。
【００２２】
＜第１実施形態＞
まず、本発明の第１実施形態に係るブラインドについて説明する。
【００２３】
［ブラインドの構成］
図１は、本実施形態に係るブラインドの正面図である。また図２は、当該ブラインドのルーバ間が開放された状態を示す側面図である。また図３は、図２に示したブラインドの断面図である。また図４は、図３に示したボトムレールの拡大断面図である。
【００２４】
これらの図に示すように、ブラインド１００は、支持部材１と、前方シート２と、後方シート３と、複数のルーバ４と、ボトムレール５とを有する。
【００２５】
前方シート２及び後方シート３は、透光性を有する例えばレース等の半透明または透明のシートであり、それらの各上端が、支持部材１によって所定間隔（図３のＤ１）を空けてＹ方向で支持される。ここで「前方」とは、図１のＺ方向手前側（図２及び図３の左側）であり、「後方」とは、図１のＺ方向奥側（図２及び図３の右側）である。
【００２６】
前方シート２と後方シート３との間には、複数のルーバ４が、Ｙ方向に沿って間隔を空けて設けられている。前方シート２及び後方シート３と各ルーバ４との接続方法は接着でもよいし縫製でもよい。
【００２７】
各ルーバ４は、合成樹脂繊維または天然繊維からなる織布、編布、不織布、紙シート、合成樹脂シート、木材シートといった任意の材質からなるシートである。各ルーバ４は可撓性を有していてもよい。
【００２８】
図１から図３に示すように、前方シート２と後方シート３とが上記所定間隔だけ離間し、各ルーバ４がそれら前方シート２及び後方シート３と略直交する（ＸＺ平面上にある）状態にある場合には、隣り合うルーバ４の間が開放された状態である。この開放状態においては、日射等の外部からの光が、後方シート３を透過し、ルーバ４に反射して、前方シート２を透過して、あるいは後方シート３を透過した光が直接前方シート２を透過して室内に差し込む。
【００２９】
一方、前方シート２と後方シート３とが近接し、各ルーバ４が前方シート２及び後方シート３と略平行な状態にある場合には、隣り合うルーバ４の間が閉塞された状態である。この閉塞状態においては、上記外部からの光は後方シート３を通過するが閉塞状態にあるルーバ４によって遮蔽される。
【００３０】
図３に示すように、支持部材１は、セットフレーム１３を有する。ブラインド１００は、当該セットフレーム１３が、その後方（後方シート３側）に設けられたブラケット１２（図３参照）を介して窓枠や壁等にネジ等によって固定されることで設置される。図１及び図２に示すように、支持部材１の側面には、サイドカバー１１が設けられている。
【００３１】
また図３に示すように、支持部材１は、内部に巻取パイプ１４を回転可能に保持する。巻取パイプ１４の一端には、図示しないプーリが設けられており、プーリはこれに巻き掛けられる操作コード８（図１及び図２参照）によって回転駆動され、この回転が巻取パイプ１４に伝達される。当該プーリはプーリケース７（図１及び図２参照）に収容されている。
【００３２】
これらプーリ、操作コード８及び巻取パイプ１４は、前方シート２及び後方シート３の巻き取り（上昇）及び巻き下げ（下降）に用いられるほか、前方シート２及び後方シート３が巻き下げられた状態においては、ルーバ４間の開放状態と閉塞状態とを切り替える開閉機構として機能する。
【００３３】
（ボトムレール）
図１から図４に示すように前方シート２及び後方シート３の各下端には、ボトムレール５が接続されている。
【００３４】
図２に示すように、ボトムレール５の両側面には、ボトムレールキャップ２１が接続されている。また図２から図４に示すように、ボトムレール５の下面５ｂであって、前方シート２側には、Ｙ方向及びＺ方向に突出する突出部２０が設けられている。
【００３５】
図３及び図４に示すように、ボトムレール５は、前方シート２の下端と後方シート３の下端とを、所定間隔（両図のＤ２）を空けて接続する。
【００３６】
図４に示すように、上記突出部２０は、上記間隔Ｄ２を二分する中心線Ｃよりも前方シート２側に形成される。当該形状により、突出部２０は、ルーバ４間が開放された状態（ボトムレール５がＸＺ平面と略平行な状態）において、上記中心線Ｃよりも前方シート２側に重心を有する。
【００３７】
ボトムレール５は、ルーバ４間が開放された状態でルーバ４と対向する上面５ａと、当該上面５ａに対向する下面５ｂとを有する。ボトムレール５の上面５ａの前方側及び後方側の各端部（Ｚ方向の左右端部）には、上記前方シート２の下端及び後方シート３の下端をそれぞれ接続することで両シートを取り付ける取付部２２が設けられる。
【００３８】
取付部２２は、例えば逆Ｔ字状の溝として形成されており、当該溝には、上記前方シート２の下端及び後方シート３の下端が底面側に連結された取付プレート２３が挿入される。
【００３９】
また、突出部２０の内部は空洞とされており、その空洞には、錘２４が内蔵されている。当該錘２４は、ボトムレール５の長手方向（Ｘ方向）において移動可能とされている。
【００４０】
上記錘２４としては、例えばボトムレール５の長手方向のサイズよりも短いサイズの長尺状のものが１つ設けられる。
【００４１】
当該錘２４は、前方シート２及び後方シート３のＸ方向（図１の左右方向）におけるバランスを調整して、巻き取り時における巻き乱れを防止するとともに、突出部２０の形状と相俟って、上記ボトムレール５の重心を前方シート２側へ偏らせる役割を担う。
【００４２】
また、図２及び図３に示すように、支持部材１の後方であって、ブラケット１２の下方には、例えば弾性体等からなる緩衝材１５が設けられている。当該緩衝材１５は、巻取パイプ１４による前方シート２及び後方シート３の巻き取り時において、ボトムレール５が支持部材１側へ移動した際に、ボトムレール５の突出部２０に当接する。すなわち、緩衝材１５は、前方シート２及び後方シート３のさらなる巻き取りを規制する規制部（ストッパー）として機能する。
【００４３】
また、支持部材１内部の巻取パイプ１４とブラケット１２との間には、上記巻き取り時において、上記緩衝材１５が上記突出部２０に当接した状態で、ボトムレール５の後方シート３側の少なくとも一部（緩衝材１５と当接しない部分）を収容するボトムレール収容部１６が設けられている。
【００４４】
［ブラインドの動作］
次に、以上のように構成されたブラインド１００の動作について説明する。
【００４５】
（ルーバの開閉動作）
まず、ルーバ４の開閉動作について説明する。図５は、図３に示したブラインド１００の前方シート２及び後方シート３を下限まで巻き下げてルーバ４間を閉塞した状態を示した断面図である。
【００４６】
前方シート２及び後方シート３が全て巻き下げられた状態においては、上記巻取パイプ１４の回転により前方シート２と後方シート３とがＹ方向で相対移動し、両シートの間隔が変化することで、上記ルーバ４の開放状態と開閉状態とが切替可能とされる。
【００４７】
すなわち、図３及び図５に示すように、図３に示した状態から、例えば上記操作コード８の前方側が引き下ろされ、巻取パイプ１４が図５における反時計回り方向へ回転すると、前方シート２が支持部材１から離れる方向へ、後方シート３が支持部材１へ近づく方向へ、それぞれ移動し、前方シート２よりも後方シート３の位置が高くなるとともに、ルーバ４がＸＹ平面方向（図５の矢印方向）へ傾動していくことで、図５に示すような、ルーバ４間が閉塞した状態となる。
【００４８】
この際、ボトムレール５に設けられた突出部２０により、ボトムレール５の重心が前方シート２側へ偏っており、かつ、突出部２０が、図５のＺ方向のみならずＹ方向（下方）にも突出していることで、ルーバ４間の閉塞状態において、ボトムレール５の重心がより低い位置となる。したがって、前方シート２に対して下方へ引っ張る力が作用するとともに、ボトムレールが起立する（垂直な）姿勢を保とうとするため、前方シート２、ルーバ４及び後方シート３が互いに重なり合いやすくなり、ルーバ４による遮蔽性が向上する。
【００４９】
一方、図５に示した状態から、例えば上記操作コード８の後方側が引き下ろされ、巻取パイプ１４が上記時計回り方向へ回転すると、前方シート２の高さと後方シート３の高さとが同等となっていくとともにルーバ４がＸＺ平面方向へ傾動していくことで、図３に示すような、ルーバ４間が開放した状態となる。
【００５０】
この際、上記突出部２０（及び錘２４）の荷重により、ブラインド１００を正面視するユーザにとって、前方シート２のフラット感が高まり、見栄えが向上する。
【００５１】
（シートの巻き取り動作）
次に、上記前方シート２及び後方シート３の巻き取り動作について説明する。
【００５２】
図６は、上記図３に示したブラインド１００の前方シート２及び後方シート３が上限まで巻き取られた状態を示した断面図である。
【００５３】
図５及び図６に示すように、図５に示したルーバ４の閉塞状態から、例えば操作コード８の前方側が引き下ろされることで、上記巻取パイプ１４が図５における反時計回り方向へ回転し、上記前方シート２及び後方シート３が支持部材１側（Ｙ方向上側）へ巻き取られて上昇する。
【００５４】
この際、図６に示すように、前方シート２及び後方シート３が全て巻き取られると、ボトムレール５の突出部２０の側面が上記緩衝材１５に当接し、前方シート２及び後方シート３並びにボトムレール５のさらなる巻き取りが規制される。
【００５５】
これにより、ボトムレール５が巻取パイプ１４に巻き込まれるのが防止され、さらに前方シート２及び後方シート３が本来とは逆方向へ巻き上げられてしまう、いわゆる逆巻きも防止される。
【００５６】
また図６に示すように、上記当接と同時に、ボトムレール５の後方シート３側（突出部２０が形成されていない部分）は、支持部材１の上記ボトムレール収容部１６に収容される。
【００５７】
これにより、前方シート２及び後方シート３が上限まで巻き取られた場合に、ボトムレール５の露出量が最小限に抑えられるため、見栄えが向上する。すなわち、ボトムレール５の突出部２０が、ルーバ４の遮蔽性を向上させる機能とストッパーとしての機能を兼ねることで、ボトムレール５の形状が不必要に大型化することなく、見栄えが向上する。
【００５８】
一方、前方シート２及び後方シート３が全て巻き取られた状態から、例えば操作コード８の後方側が引き下ろされることで、上記巻取パイプ１４が図２及び図３における時計回り方向へ回転し、前方シート２及び前方シート２が巻き下げられて下降する。
【００５９】
この場合も、上記突出部２０（及び錘２４）の荷重により、さらなる操作コード８の引き下ろしがなされない限り、ルーバ４の閉塞状態が維持される。
【００６０】
以上説明したように、本実施形態によれば、ブラインド１００は、ボトムレール５に設けられた突出部２０（及び錘２４）により、ルーバ４の閉塞時における遮蔽性を向上させることができる。
【００６１】
＜第２実施形態＞
次に、本発明の第２実施形態に係るブラインドについて説明する。本実施形態において、上記第１実施形態と共通する部分には同一の符号を付し、説明を省略または簡略化する。
【００６２】
図７は、本実施形態に係るブラインドの、ルーバが開放した状態を示す下部側面方向の断面図である。また図８は、図７に示したブラインドのルーバが閉塞した状態を示した断面図である。
【００６３】
本実施形態に係るブラインド２００においては、上述の第１実施形態と比較して、ボトムレール５において上記前方シート２及び後方シート３が取り付けられる位置が異なる。
【００６４】
すなわち、第１実施形態では、２つの取付部２２はいずれもボトムレール５の上面５ａに設けられたため、前方シート２及び後方シート３はいずれもボトムレールの上面５ａに取り付けられた。
【００６５】
しかし、本実施形態に係るブラインド２００では、図７に示すように、前方シート２の下端を取り付けるための取付部２２及び取付プレート２３はボトムレール５の上面５ａに設けられる一方、後方シート３の下端を取り付けるための取付部２２及び取付プレート２３はボトムレール５の下面５ｂに設けられる。換言すると、後方シート３は、ボトムレール５の下面５ｂの後方端部を下方から抱え込むように設けられる。
【００６６】
このように、前方シート２がボトムレール５の上面５ａ、後方シート３がボトムレール５の下面５ｂに接続されることで、図７に示したルーバ４の開放状態から、上記巻取パイプ１４の回転により後方シート３が上昇しルーバ４が閉塞状態へ移行する際には、後方シート３がボトムレール５を引き上げる力（図７の矢印参照）がボトムレール５の下面５ｂ側に作用して、図８に示すように、ボトムレール５を垂直に起立させる。これにより、ルーバ４の遮蔽性がより向上する。
【００６７】
＜変形例＞
本技術は上述の実施形態にのみ限定されるものではなく、本技術の要旨を逸脱しない範囲内において種々変更され得る。
【００６８】
ボトムレール５及び突出部２０の構成は、上述した各実施形態における構成に限られない。
【００６９】
例えば、上述の実施形態では、突出部２０はボトムレール５の下面５ｂから（図４のＹ方向へ）突出し、かつ、ボトムレール５の側面から（図４のＺ方向へ）突出した構成とされたが、いずれか一方方向にのみ突出していてもよい。
【００７０】
図９は、ボトムレール５の下面５ｂから突出した突出部２０の変形例を示す。同図では、説明の都合上、上記前方シート２及び後方シート３並びに２つの取付プレート２３は省略しているが、同図左側が前方シート２側、同図右側が後方シート３側である。
【００７１】
前方シート２がボトムレール５の上面５ａの取付部２２に取り付けられ、後方シート３がボトムレール５の下面５ｂの取付部２２に取り付けられる点は上記第２実施形態と共通である。
【００７２】
同図に示すように、この例では、突出部２０は断面が略Ｄ字状とされ、そのＹ方向の高さは上記第１及び第２実施形態の突出部２０よりも大きく設定されている。これにより、ブラインドのＹ方向のサイズに応じて、巻取パイプ１４による巻き取り状態における前方シート２及び後方シート３の、巻取パイプ１４の半径方向における厚みが変わっても、突出部２０が緩衝材１５に適切に当接することができる。
【００７３】
また錘２４は、上記第１及び第２実施形態におけるものと比べて、高さ方向に大きく、幅方向に小さいものが用いられ、また、ボトムレール５の上面５ａ側かつやや中央寄りに設けられている。
【００７４】
また突出部２０は、緩衝材として機能する弾性体等の材料から形成されてもよい。この場合、上記支持部材１には上記緩衝材１５は設けられなくても構わない。
【００７５】
また、突出部２０は、前方シート２及び後方シート３のＹ方向の長さに応じて、その図２〜図３のＹ方向（図６のＺ方向）における突出度合いが変更されてもよい。
【００７６】
すなわち、支持部材１が前方シート２及び後方シート３のＹ方向の長さに関わらず同一の物が用いられる場合、巻取パイプ１４による巻き取り状態における前方シート２及び後方シート３の、巻取パイプ１４の半径方向における厚みが変わることになる。したがって、その厚みに応じて突出部２０が緩衝材１５に適切に当接するように、突出部２０の図６のＺ方向における高さが調整されてもよい。
【００７７】
また、上記突出部２０の高さ調整に代えて、またはそれに加えて、上記巻き取り状態における半径方向の厚みに応じて、上記支持部材１に設けられる緩衝材１５の位置が、図６のＺ方向において変更されてもよい。
【００７８】
上述の実施形態では、突出部２０に内蔵される錘２４として、長尺状のものが１つ設けられたが、錘２４は、例えばボトムレール５のＸ方向の左右端部において移動可能に２つ設けられてもよいし、左右端部のみならず中央寄りにも移動可能に（すなわち３つ以上）設けられてもよい。これにより前方シート２及び後方シート３の正面視左右方向（Ｘ方向）におけるバランス調整が容易となる。
【符号の説明】
【００７９】
１…支持部材
２…前方シート
３…後方シート
４…ルーバ
５…ボトムレール
５ａ…上面
５ｂ…下面
８…操作コード
１４…巻取パイプ
１５…緩衝材
１６…ボトムレール収容部
２０…突出部
２２…取付部
２４…錘
１００、２００…ブラインド
【図１】
2015200066.tif 000003
【図２】
2015200066.tif 000004
【図９】
2015200066.tif 000005
【図３】
2015200066.tif 000006
【図４】
2015200066.tif 000007
【図５】
2015200066.tif 000008
【図６】
2015200066.tif 000009
【図７】
2015200066.tif 000010
【図８】
2015200066.tif 000011